(57)【要約】      （修正有）【課題】漢方薬のような裁断物や粒子状切断品などの粉粒状体の、個別対応がきき、小型で、能率良く、簡便にして、容易に精度良く分包することができる分包機とその方法と、それに用いる便利な袋を提供する。【解決手段】受け部１と、それに連なる複数の突出孔２、受け部１の底を開口可能な一時的保持部の組み合わせからなる分包機。複数の突出孔２に袋を被せ、受け部１に粉粒体をいれ、升きり部１３で表面を均し、受け部１の底を閉じていた一時的保持部を開口し、それに連なる複数の突出孔２から袋の中に粉粒体を落下させる分包方法。接着部分が少なくとも袋の開口部の中央部外側平面部分である多開口連結袋。【選択図】  図６
2004351185.tif 000002
【特許請求の範囲】
【請求項１】
分包機において、受け部と、それに連なる複数の突出孔、受け部の底を開口可能な一時的保持部の組み合わせからなることを特徴とする分包機．
【請求項２】
升きり部は、機械の本体とは切り離されていることを特徴とする請求項１記載の分包機。
【請求項３】
分包機において、受け部とそれに連なる複数の突出孔全体が回転して袋を上から逆に被せ易いように回転軸に支えられた構成をとっていることを特徴とする請求項１記載の分包機。
【請求項４】
複数の突出孔の下にそれに対応した数の袋受け空間仕切り部が付加的に設けられていることを特徴とする請求項１記載の分包機。
【請求項５】
複数の突出孔の下にそれに対応した数の袋受け空間仕切り部が付加的に設けられていること、更に複数の枡目及びそれに実質的に対応する該突出孔と袋受け空間仕切り部の距離の変更出来る上下への稼動部が設けられてなることを特徴とする分包機．
【請求項６】
請求項１に機械を用いて分包する方法において、複数の突出孔に袋を被せ、受け部に漢方薬などの粉粒体をいれ、次いで、升きり部で表面を均し、受け部の底を開口可能な一時的保持部を開口し、それに連なる複数の突出孔から、粉粒体を袋の中に落下させて、次いで袋の封をする事の組み合わせからことを特徴とする分包方法．
【請求項７】
請求項３の機械を用いて分包する方法において、複数の突出孔を上部に複数の突出孔に袋を被せ、しかる後受け部が上に来るように逆転させ、受け部の底を一時的保持部で閉口し、受け部に漢方薬などの粉粒体をいれ、次いで、升きり部で表面を均し、受け部の一時的保持部を開口し、複数の枡目を通してそれに連なる複数の突出孔から、粉粒体を袋の中に落下させる事の組み合わせからなることを特徴とする分包方法．
【請求項８】
機械を用いて分包する方法において、複数の突出孔に袋を被せ、受け部に漢方薬などの粉粒体をいれ、次いで、升きり部で表面を均し、受け部の底を開口可能な一時的保持部を開口し、それに連なる複数の突出孔から、粉粒体を袋の中に落下させて、次いで袋の封をする事の組み合わせからなることを特徴とする分包方法。
【請求項９】
接着部分が少なくとも袋の開口部の中央部外側平面部分であることを特徴とする両端引っ張りにより多開口可能な連結袋。
【請求項１０】
接着部分が少なくとも中央部であること及び両端が交互接着されてなることを特徴とする請求項８、９に記載の多開口可能な連結袋。
【請求項１１】
連結袋の製造方法において、積堆袋を斜めにずらし接着剤を開口部近くに付与すること，これらの多数の袋を連結するように接着することを特徴とする多開口可能な連結袋の製造方法。
【請求項１２】
接着部分が少なくとも中央部であること及び両端が交互接着されてなる多開口連結袋の中央部分を剥がし、帯状になった多開口連結袋を連続してヒートシールすることを特徴とするヒートシール方法。
【請求項１３】
多開口連結袋が、ヒートシール可能な材料からなる事を特徴とする両端引っ張りにより多開口可能な連結袋。
【請求項１４】
請求項８、９において、接着が仮接着である事を特徴とする引っ張りにより多開口可能な連結袋。
【請求項１５】
接着が仮接着である連結袋を、相互に独立するように仮接着を解除し、次いでその独立した袋をヒートシールすることの組み合わせからなることを特徴とするヒートシール方法。
【０００１】
【発明の詳細な説明】
【産業上の利用分野】本願発明は新規な分包機とその方法、それに用いる袋に関する．本願発明に係る分包機は、大きな投資無しに不ぞろいの漢方薬など粒や粉（粉粒体と総称する）を、簡便にして，コンシュマー対応性に優れ，一挙に正しく袋に多数分割かつ投入できる効果を有し、作業効果を高め、正しい計量性に優れる。漢方薬の袋への投入、ポップコーンの分封、植物の種の分封等に用いられる。
【０００２】
【従来の技術】
従来、漢方薬のような裁断物や粒子状切断品などの粉粒状体（以下、総称して粉粒体ともいう）は、升のような杓子（杓文字ともいうし、計量カップともいう）に掬い取り、升きりで平らにし一定量の容積を決定し、一回ずつ袋に手作業で入れていた。それは多くの人力を必要とし、能率が上がらないため、疲労で、誤差が出たり、低能率のためにコスト高になっていた。客を待たせると言う欠点もあった。即ち多数をこなすのが，困難と言う欠点があった。また，カップでは，原料差による微調整が非常に困難であった。
【０００３】
他方、例えば、公開特許公報特開平１１−０２９１０４のように本格的な高価な装置（分包機）では、コストが極めて高価になり、それが薬価にはね返り、漢方薬のような粒子状切断品や粒状体では機械独自の癖による誤差が生じたり、機械が複雑なため故障のとき非常に複雑で切り替え時に掃除に困難を極める。洗浄後の組み立ても大変である。特に，元原料の重量は，保持できても，分割した個別の容量に対応するには，微妙な粒状化の差異による容量の変更が必要であり，それに対応させる時は，その計量部分の新規作成が必要であった。従って，容量の変更が，困難，高価等の問題があった。また、極めて大量ならともかく計量スプーンでは、こなせないような中程度に対応していないためである。すなわち従来の技術では、量的変化への対応、価格、切り替えの容易さ、漢方薬のような不ぞろい流体に対処する事、量をこなす事、迅速性、機械の複雑さ、機械の価格、計量の微調整のいずれかで限界または、重大な欠陥があった。
【０００４】
【発明が解決しようとする課題】
本発明者らは上記の欠点のない漢方薬などの草木等の切断品・粉砕品・裁断品等粒状品・粉状品や種子等（こられを総称して粉粒体という）の分包機を提供することを目的とする。特に個々の計量スプーンに勝る能率性や、切り替えや、洗浄の容易さを維持しつつ、本格的な大型機械の持つ高価、複雑、洗浄の困難性、切り替えの困難性、組み立ての困難性、植物切断品への対応の無さ、計量部品の多さなどの観点からそれらの改良された、簡便な分包機、その方法とそれに必要な付属品を提供することを目的とする。
【０００５】
【課題を解決するための手段】
本願は、上記の目的に対し、鋭意検討した結果ついに簡便な構成・手段でその目的を達成した。その骨子は次の通りである。
（１）分包機において、受け部と、それに連なる複数の突出孔、受け部の底を開口可能な一時的保持部の組み合わせからなることを特徴とする分包機である。
（２）升きり部は、機械の本体とは切り離されていることを特徴とする上記の分包機である。
（３）分包機において、受け部とそれに連なる複数の突出孔全体が回転して袋を上から逆に被せ易いように回転軸に支えられた構成をとっていることを特徴とする分包機である。
（４）その複数の突出孔の下にそれに実質的に対応した数の袋受け空間仕切り部が付加的に設けられていることを特徴とする分包機である。
（５）複数の突出孔の下にそれに対応した数の袋受け空間仕切り部が付加的に設けられていること、更に枡目及びそれに実質的に対応した該突出孔と袋受け空間仕切り部の距離の変更出来る上下への稼動部が設けられてなることを特徴とする分包機である。
（６）上記の機械を用いて分包する方法において、複数の突出孔に袋を被せ、受け部の底を開口可能な一時的保持部を閉口し、受け部に漢方薬などの粉粒体をいれ、次いで、升きり部で表面を均し、受け部の底を開口可能な一時的保持部を開口し、それに連なる複数の突出孔から、粉粒体を袋の中に落下させて、次いで袋の封をする事の組み合わせからなることを特徴とする分包方法である。
（７）上記の（３）の分包機を用いて分包する方法において、複数の突出孔を上部に複数の突出孔に袋を被せ、しかる後受け部が上に来るように逆転させ、受け部の底を一時的保持部で閉口し、受け部に漢方薬などの粉粒体をいれ、次いで、升きり部で表面を均し、受け部の一時的保持部を開口し、枡目を通してそれに連なる複数の突出孔から、粉粒体を袋の中に落下させる事の組み合わせからことを特徴とする分包方法である。
（８）機械を用いて分包する方法において、複数の突出孔に袋を被せ、受け部に漢方薬などの粉粒体をいれ、次いで、升きり部で表面を均し、受け部の底を開口可能な一時的保持部を開口し、それに連なる複数の突出孔から、裁断物を袋の中に落下させて、次いで袋の封をする事の組み合わせからことを特徴とする分包方法である。
（９）上記の接着部分が少なくとも袋の開口部の中央部外側平面部分であることを特徴とする少なくとも両端を引っ張ることにより全てが多開口可能な連結袋である。
（１０）更にこれらの接着部分が少なくとも中央部であること及び両端が交互接着されてなることを特徴とする両端を引っ張ることにより多開口可能な連結袋である。
（１１）連結袋の製造方法において、積堆袋を斜めにずらし接着剤を付与すること，これらの多数の袋を連結袋として接着することを特徴とする両方からの引っ張りにより多数多開口可能な連結袋の製造方法である。
（１２）接着部分が少なくとも中央部であること及び両端が交互接着されてなる多開口連結袋の中央部分を剥がし、帯状になった多開口連結袋を連続してヒートシールすることを特徴とするヒートシール方法である。
（１３）上記の多開口連結袋が、ヒートシール可能な材料からなる事を特徴とする両端の引っ張りにより多開口可能な連結袋である。
（１４）上記の接着が仮接着である事を特徴とする多開口可能な連結袋である。
（１５）接着が仮接着である連結袋を、相互に独立するように仮接着を解除し、次いで独立した袋をヒートシールすることの組み合わせからなることを特徴とするヒートシール方法である。
これら本発明の構成を、図を用いて詳細に説明する。
【０００６】
図１は、本発明にかかる装置を斜め上から見た説明のための模式図である。
漢方薬などの草木等の切断品・粉砕品・裁断品等粒状品・粉状品や種子等（こられを総称して粉粒体という。以下，粒とか粉と称することもある。漢方薬の例としては，例えば，十全大補湯の組成物，小柴胡湯の組成物，葛根湯組成物のようなものを指す。これらは，裁断の方法や，条件の微妙な差により，その容積は異なることは申すまでもないが、ここに本発明の看過できないキーポイントの一つがある。
【０００７】
粉粒体を受け部（以下，ホッパーともいう）１に入れる。これらの粉粒体は，そのままでは，下に落ちてしまうので，受け部の底を開口可能な一時的保持部で，閉じられているのであるがここではその下の枡目３が見えるようにしてあるので、一時的保持部でそれが閉じられた状態は示されていない（図４で後に説明する）。投入された粒は，ここで升きり部（後に示す）を左右に動かして粒の表面を平均化して均す。その下には，複数の枡目３（図１では見えている）があり，こられの粒が，複数のどの突出部２に落ちるかを枡目が正しく制御する。そこで，粒を一時的に受けていた（支えていた）保持部をスライドさせて，移動させると，すなわち開口状態にすると、粒は、複数の突出孔２を経て下に落下する。ここでは示されていないが後に示す袋１０が突出孔２に被せてあり、ここで受けられ分包される。袋は，袋受け空間仕切り部４で，支えられると共に，仕切られているのがこのましい。粉粒体（図４参照）は、それぞれ突出孔２に被せられた袋の中に分包される。
【０００８】
この時，事前に袋を，突出孔に被せておくことが当然必要であるが，その手順を図１で説明する。袋受け空間仕切り部４と，突出孔２との距離を比較的小さくしておかないと，如何に袋受け空間仕切り部４で支えても，袋が，抜け落ち易いか、また，袋を被せる作業がやり難いかのいずれかであるので、そのために、受け部（ホッパー）１と，突出孔２を上にレバー５で，押し上げる。受け部１は，スライド可能な支え（支柱）すなわち、枡目及び該突出孔と袋受け空間仕切り部の距離の変更出来る上下への稼動部７，８から出来ているのでそれに接続した梃６の原理で，レバー５を押し上げると，梃６も上昇して、受け部と突出部２が上昇する。すなわち袋が被せ易い空間が確保される。袋を被せた後は，当然レバーを下げる。袋は，袋受け空間仕切り部４の，それぞれの中に，納まる。この仕切り部４は，１対１に対応させることが好ましいが，１対２に対応させてもよい。実質的対応と表現する。
【０００９】
次いで，図２に保持部の機能を説明するための概念図を示す。すなわち、ホッパー１と，保持部９と，枡目３に突出部３、袋１０の相互関係を示す図である。
つまり、図１を真横から，透かして見た図に相当するとも言える。粉１１は，ホッパー（受け部）１に投入されると、粒１１は，ホッバー１保持部９で受け止められ、均されると１１の状態になる。図２での状態では，粒は，下に落ちない。
【００１０】
次いで，図３に、粒を均一化する升きり部を示す。升きり部は，本分包機の一部ではあるが，独立したものである。実質的に分離されていると言う意味である。図３Ａは、受け部１にそって移動出来る升きり部１２形状の１例であり，図３Ｂは，升きり部の他の１例（１２ダッシュ）である。へらでも良い。粒の表面を移動させて，粒を均一化する。この時，ホッパーの壁面を滑らせると，手の動きが安定化され，より均一になり易い。目で見て、どこかに，高い部分，凹んだ部分があれば、左右に動かして、何度も繰り返すのである。かくして，漢方薬等の粉粒体は平均化される。同一質量でも，切断状態は，微妙に異なるが，これで，容易に調整される。
【００１１】
図４Ａは，粒１１を平均化する時の観念を示す図である。ここではホッパー（受け部）１を、長手方向横から、透かせて見た図に相当するとも言える。図４のＡは，ホッパー１に粒１１が投入された時の状態を示している。このままでは，如何に枡目３で制御しても，粒は，均一に分包されない。粒を均一に枡目を通して落下させるためには，均一化が必要となる。独立した升きり部１２で、表面を均す。升きり部１２を，何度か左右に動かせば，均一となる。この部分は、人間の技が必要となる。この平均に均す作業は，予想外に，この人間技は，正確である。なれると，極めて迅速に完了する。
【００１２】
図４Ｂは、図４Ａに対応する図であり、平均化させた後の、粒１１の状態を示している。図４Ａ，Ｂとも、升きり部１２の左右に示した矢印は，左右に動かして，平均化することを意味している。
【００１３】
次いで，図５に、図２に，対応する保持部の機能を説明するための概念図を示す。すなわち、ホッパー１と，保持部９と，枡目３に突出部３、袋１０の相互関係を，示す図である。図２と，対比しながら，説明する。移動可能な，つまり滑らし動かす（摺動可能な）保持部９を，ホッパー１の壁面の方へずらす。図５の９のような保持部の位置・状態とする。この作業は重要である。図２の粒１１は，この動作により，落下し，袋１０の中へ，枡目３と突出部２を経て、それぞれの袋１０の中に納まる。図５の粒１１は，その状態を示している。図の矢印は，保持部をホッパー壁面に沿って，上にずらすことに結果としてなることを意味している。保持部は平板と思えば判りやすい。このようなものは，安価に作り易いことを意味している。作りやすい事は，工業的に重要であり，清潔にし易いことも意味している。薬品等の切り替え時には，混合を防止し，完全なクリーンアップが最重要であるからである。
【００１４】
次に、図６にて，袋被せの容易な装置他の装置（機械）について説明する。図１では、レバー等の工夫で、ホッパーと突出孔を持ち上げたが，下から上への袋被せ作業は，可能ではあるが、極めて容易とは言えない。本分包機は、ホッパーと，突出孔全体を、ハンドル１３にて，回転させ（上下を逆にし），すなわち，突出孔（２ダッシュ）が上になるように，回転させることのできる分包機である。上から袋を突出孔に被せ，しかる後、回転させて，元の状態に（受け部が上に来るように）戻せるので，袋被せ作業が極めて迅速に行える。この時，保持部９は外しておくのが好ましい。もちろん粒を入れる前に、９を閉じた状態（図２の９）に，セットする。
【００１５】
次に，分包用の袋について、説明する。薬等の用途では，衛生的でなければならない。対象物としては，各種の粉粒体を扱う漢方薬が主体では有るが，各種の種子すなわち，西瓜の種，トウモロコシ種，胡麻、大豆，小豆，麻の種、タバコの種、米，カボチャの種、除虫菊の種等、広い意味で粉や粒すなわち総称して粉粒体が対象となる。普通袋は，しっかりとヒートシールされるのが普通である。すなわち，ヒートシール可能な材料で普通作られるが，フイルム類、紙類，布類，不織布類、金属フオイルなども全て対象となる。ヒートシールの他に、糊付けの場合もあるし、ホッチキスで止める場合、ミシンで止める場合、留め具で挟む場合もある。
【００１６】
本分包機は，閉じるまでの分包が対象となる。袋は、多数の突出孔に一つ宛被せても良いが，一挙に多数を同時に被せられると，効率的である。例えば、突出孔が１０個ある場合を想定すると、一挙に袋を被せたいし，またヒートシールも，２つの回転するヒートシーラーに，連続的に噛ませて，連続的にシールしたい事もある。例えば，１０袋連続していると，１組を取れば，１０個あるので、３組取れば，３０個となる。１日一袋を使用すると，３０袋で約１カ月分となる。
【００１７】
袋を連結しておいて，被せる時に，一挙に開口すれば、非常に便利である。
その工夫の例を，図７で説明する。図７は，多数の袋がずらして重ねられている状態を示す図である。多数の袋を（例えば、小型郵便封筒の３／４位の袋を例として）説明すると一端は開口している。これらを例えば１０枚重ねて，揃え，揉むように僅かな折り曲げを繰り返すと，開口部が図７のようにずれてくる。このずらし方は，袋貼り作業の昔からのプロ（匠）の常套手段でもある。この中央部分に糊を塗る。糊は，澱粉糊，化学糊、アラビアゴム等，対象となる。元の積層状態に戻して、揃え，接着させる。接着は，強い接着，弱い仮接着でも良い。しかる後、両端の袋を引っ張ると，図８のように袋が連続して開口する。これは，突出孔に，袋を一挙に被せるのに適している。
【００１８】
図８は，開口した袋が連なった状態を示す図である。この場合は菱形に開口２０している。１６は，１４で塗った接着部分（接着部）である。このようにして、一挙に突出孔に袋を被せることができる。シールする時は，一袋宛に剥がせば良い。
【００１９】
図９は、他の連続袋の開口の例である。これは，糊を中央部以外に，もう一端に更に糊を塗った場合に可能である。前記と同様に重ねた袋をずらせるのであるが、更に袋を左右に交互にずらせる細工をしておく。５枚をずらせ，他の５枚の間に挟み込んで，交互にずらせたまま、前述のプロの糊貼りの技を（この交互ずらせの直角方向に他の連続ずらせを）施すのである。しかし，必ずしも，この方法に限定されない。要は、少なくとも中央と，一方の端に糊が付けば良い。かくして，重ねた状態で，接着剤が，接着力を出した状態で、最上部の袋の端と最下部の袋の端を引っ張ると，驚くべきことに方形の開口部１８となる。それが連なっているのである。これは、一層突出孔に被せ易い。１７は，接着剤が塗られなかった袋の開口部の辺であり、１９は少なくとも２カ所は接着されている辺（接着部）である。
【００２０】
図１０は，ほぼ平面状に袋が連結して並んだ状態を示す図である。これは、図９で示した連結袋の中央部に塗った糊の固定を外すと，端部のみの固定が残り，糊の厚みを無視すれば（厳密には少しは厚みがあるので少し段状にはなっているが）実質的にほぼ平面状に開口部が連なっている。このようにすると，一対の回転ロールからなる連続ヒートシーラーに，噛み込ませることにより，一挙に、連なった袋全てがシールされる（封じられる）。２０は，接着部，２１は，ほぼ平面に近い開口部である。連続袋は，使用者が，使用時に離すこともでき，数えるのも便利である。従って，この場合は，中央部分の接着は仮接着で，端は，それより強い接着がこのましい。
【００２１】
突出孔は複数としたが，任意の数で良い。しかし，３〜２０程度がよく，特に計算上１０がよい。ダースを常用する業界では，６または１２が良く、そうでない業界では，５、１０、１５が好ましい。しかしホッバー内に，その空間を緻密に埋める盲ブロックを装填することにより、枡目に対応した相当数の計量を排除することもできる。枡目と突出孔の数、仕切り部の数は，当然対応がとられていることは，申すまでもない。このようなことも，本発明の範囲内である。
【００２２】
受け部（ホッパー）の受け角度は，任意に選べるが，水平方向から見て，３０から８５度の間が好ましい。余りに広く開いていると，升切りが困難となり，余りに立っていると，容量が小さくなり過ぎる。升目は、均等にされているが，上部は平たく長手の直角に対しては、尖っているのが好ましい。粒・粉がそこに残って，袋の中に落ちないものが生じると困るからである。突出部は，袋を被せ易いように長さがあり，先細になって角形のロート状になっているのが好ましい。
【００２３】
図１では，レバーで，受け部の上下を説明したが、これは、レバーを使わなくとも、手で上下して，留め金等で，止めても良い。要は，上下できることが好ましい。枡目及び該突出孔と袋受け空間仕切り部の距離が変更出来るように上下への稼動部が設けられている。別の手段としては、特に好ましくは，図６のように回転できることである。上から下への方が、袋が被せ易いからである。材料は，金属，木材，ガラス・陶器，プラスチック（ここでの用語は，可塑性のことを言うのではなく，合成高分子等に類する全ての高分子有機・無機の合成材料をさす）が用いられる。
【００２４】
升きり部は，本分包機の重要な一部ではあるが、独立しているのが普通であり、工業的な商品で販売などされる時，これを取り外して，取引されることがあっても，本権利の範囲である。何故ならば、升きり部だけは自分で準備するからとして，取引の対象とならない場合でも、他の部分を使用し，実質自分の升きり部を使用しても，本権利の使用に当たることは申すまでもない。各部をバラバラに購入し，自分で組み立てて使用しても，本権利の範囲内である。本装置すなわち，本分包機は，対象品種切り換え毎に，クリーニングされることが普通である。つまり，主要部は解体されることもある。４の袋受け空間「仕切り部」は，必須ではないが，突出孔と対応してまたは，交互に対押して存在することが極めて好ましい。袋を保持するので，作業を非常に正しく順調に行うことができる。
【００２５】
【実施例】
以下の実施例により、本発明を更に詳細に説明する。しかし、本実施例により、本発明の有効性が，限定解釈されるものではない。
実施例１．
漢方薬の分包を次の要領で図１の機械を用いて行った．
【生薬処方】葛根湯処方
葛根  ８．０×３０日分＝２４０ｇ
麻黄  ４．０×３０日分＝１２０ｇ
生姜  １．０×３０日分＝３０ｇ
大棗  ４．０×３０日分＝１２０ｇ
桂枝  ３．０×３０日分＝９０ｇ
芍薬  ３．０×３０日分＝９０ｇ
甘草  ２．０×３０日分＝６０ｇ
合計７５０ｇ
【００２６】
なお、生薬原料は、大阪市に所在する（株）栃本天海同堂、本社（福島区福島５丁目１０番３号）ビニール５００ｇ入りを使用した．また原料のサイズ及び材形は、生薬を乾燥して平均約４〜６ｍｍ位の角型にカットされた日本薬局法基準に合格したものを使用した．原料は必要とする日数分を計量し、回転する攪拌器に投入し、平均化するまで攪拌器で回転させた材料を図１の機械に７５０ｇを分包機の受け部（ホッパー）に、保持部が閉じられた状態の時に投入し、升きり機で、平らになるように平均化した。次いで閉じていた受け部の底をスライドさせて開口可能な一時的保持部を開口し、下に落下させた。この前に、当然１０個の突出部に袋を被せておいた。それをヒートシーラで封をした。これを２０回繰り返し、それぞれの内容物を秤量し、試験した。分包誤差率は、本機を使用した場合、いずれも５％以内にとどまった。作業能率は、１回１回計量カップで量って入れる作業の６〜７倍に達した。
実施例２
漢方薬の分包を次の要領で図６の分包機を用いて行った．
【生薬処方】小柴胡湯処方
柴胡  ７．０×３０日分＝２１０ｇ
半夏  ５．０×３０日分＝１５０ｇ
生姜  １．０×３０日分＝３０ｇ
黄．  ３．０×３０日分＝９０ｇ
大棗  ３．０×３０日分＝９０ｇ
人参  ３．０×３０日分＝９０ｇ
甘草  ２．０×３０日分＝６０ｇ
計７２０ｇ
【００２７】
なお、生薬原料は、大阪市に所在する（株）栃本天海同堂、本社（福島区福島５丁目１０番３号）ビニール５００ｇ入りを使用した．また原料のサイズ及び材形は、生薬を乾燥して平均約４〜６ｍｍ位の角型にカットされた日本薬局法基準に合格したものを使用した．原料は必要とする日数分を器量し、回転する攪拌器に投入し、平均化するまで攪拌器で回転させて、平均化した。分包機図６のハンドルを回転させ下記のように袋を被せて，ハンドルを元に戻した。分包機の受け部に保持部を受け部の底が閉じるようにセットし、上記材料を図６の機械に７２０ｇを受け部（ホッパー）に投入し、升きり機で、平らになるように平均化した。次いで閉じていた受け部の底をスライドさせて底を開口し、下に落下させた。この前に、当然１０個の突出部に中央に仮接着糊をつけて連結させた連結袋の両端を引っ張り開口させて，一挙に被せておいた。次いで分包された各袋をそれぞれ、ヒートシーラで封をした。これを２０回繰り返し、それぞれの内容物を別途秤量し、内容物の試験をした。分包誤差率は、本機を使用した場合、いずれも５％以内にとどまった。作業能率は、１回１回計量カップで量って入れる作業の７〜８倍に達した。
【００２８】
実施例３
実施例２と同様な要領で，次の生薬を用いて実施した。
十全大補湯処方
人参  ２．５×３０日分＝７５ｇ
黄耆  ２．５×３０日分＝７５ｇ
白球  ３．５×３０日分＝１０５ｇ
当帰  ３．５×３０日分＝１０５ｇ
茯苓  ３．５×３０日分＝１０５ｇ
塾地黄３．５×３０日分＝１０５ｇ
川．  ３．０×３０日分＝９０ｇ
芍薬  ３．０×３０日分＝９０ｇ
桂枝  ３．０×３０日分＝９０ｇ
甘草  １．０×３０日分＝３０ｇ
合計８７０ｇ
それぞれの内容物を秤量し、試験した。分包誤差率は、本機を使用した場合、いずれも５％以内にとどまった。
【００２９】
実施例４
小型郵便封筒サイズの長さ７割大のヒートシールできる袋を１０枚重ね、もむようにしてずらし、スティック糊で中央部に糊を塗った。ずらしを元に戻し、接着した。両方に引っ張ると。いずれの袋も開口した。そのために、非常に突出部（ノズル）に被せ易い物となった。内容物を投入後、その接着部を剥がして、ヒートシールができた。この接着の残存は、袋がバラバラにならずに快適な作業に貢献した。
【００３０】
【発明の効果】
（１）簡便に毎回２０以下程度の粉粒体の分包が行える。
（２）漢方薬のような微妙な粉粒体の容積差に容易に対応出来た。
（３）大げさな（複雑な）機械が要らない。
（４）一々スプーンで計量するよりも，はるかに能率的である。
（５）漢方薬の時、各患者に対応して，小回り，個々対応がし易い。
（６）複雑にして大きな機械に比して，掃除や洗浄，クリーニングし易い。
（７）大型の本格的な機械に比べ初期投資が少なくて済む。
（８）規格内の計量が正しく行える。
（９）複雑でないので，機械の噛み込みやそれによる変質がない。
（１０）袋については，一挙に袋被せができる。
（１１）袋については，一定数の数勘定がやり易い。
（１２）袋については，引っ張るだけで，袋の開口ができる。
（１３）袋については、被せ作業の能率が上がる。
（１４）袋については，ロール状のヒートシーラーに掛け易い。
【００３１】
【図面の簡単な説明】
図１は、本発明にかかる装置を斜め上から見た説明のための模式図である。
図２は，本発明にかかる分包機の保持部の機能を説明するための概念図である。
図３は，粒を均一化する升きり部である。
図４は，升きり部で粒を平均化する時の観念を示す図である。
図５は、図２に対応する保持部の機能を説明するための概念図である。
図６は、袋被せの容易な分包機の他の実施対応の模式図である。
図７は，多数の袋がずらして重ねられている状態を示す図である。
図８は，開口した袋が連なった状態を示す図である。
図９は、連続袋の方形開口の状態を示す図である。
図１０は，平面状に袋が連結して並んだ状態を示す図である。
【符号の説明】
１は，「受け部（ホッパー）」を示し、
２は、「突出孔」を示し、
３は，「枡目」を示し、
４は，袋受け空間「仕切り部」を示し、
５は，受け部を上下させるための「レバー」を示し、
６は，受け部を上下させるための「梃」を示し、
７は，受け部を支えるための支柱を示し、
８は，受け部を上下させるための支柱を収納するための支柱収納部を示し、
９は，粉粒体を一時的に受け部内に留め置くための「保持部」を示し、
１０は，粉粒体を入れる（分包する）「袋」を示し、
１１ダッシュは，重ねられた「袋」示し、
１２は，漢方薬等の「粉粒体」を示し，
１３は，「升きり部」を示し、
１４ダッシュは「升きり部」の他の例を示し、
１５は，受け部と突出孔全体を回転させる「ハンドル」を示し、
１６は，「糊を塗りつける部分」を示し、
１７は，袋の「開口部」を示し、
１８は，袋を連結した「糊の接着部」を示し、
１９は、袋の開口部の一「辺」を示し、
２０は，「方形開口部」を示し、
２１は，袋を方形に開口した時の「接着部」を示し、
２２は，袋と隣の袋との僅かな「接着部」を示し、
２３は，袋の開口部が，ほぼ一直線状に並んだ「開口部」を示す。
【図１】
2004351185.tif 000003
【図２】
2004351185.tif 000004
【図３】
2004351185.tif 000005
【図４】
2004351185.tif 000006
【図５】
2004351185.tif 000007
【図６】
2004351185.tif 000008
【図７】
2004351185.tif 000009
【図８】
2004351185.tif 000010
【図９】
2004351185.tif 000011
【図１０】
2004351185.tif 000012